(57)【要約】【課題】蓄熱部材自体のコストだけでなく、施工に要するコストをも低減する。【解決手段】蓄熱部材１０は建物に設置され、該建物の室内を蓄熱空調するためのであり、プラスチックにより構成された容器部２３と、容器部２３に密封された状態で収容された蓄熱材２４とを備え、容器部２３には、空気が流通可能な複数の通風部３６が形成されている。【選択図】図１
2010025465.tif 000002
【特許請求の範囲】
【請求項１】
建物に設置され、該建物の室内を蓄熱空調するための蓄熱部材であって、
プラスチックにより構成された容器部と、
上記容器部に密封された状態で収容された蓄熱材とを備え、
上記容器部には、空気が流通可能な複数の通風部が形成されている
ことを特徴とする蓄熱部材。
【請求項２】
請求項１に記載の蓄熱部材において、
上記通風部は、上記容器部に形成された開口部である
ことを特徴とする蓄熱部材。
【請求項３】
請求項１に記載の蓄熱部材において、
上記容器部は、切欠部が形成された四隅を有している
ことを特徴とする蓄熱部材。
【請求項４】
請求項１に記載の蓄熱部材において、
上記容器部は、所定ピッチで互いに平行に配置されると共に上記蓄熱材がそれぞれ収容される複数の第１溝部を有し、
上記通風部は、隣り合う上記第１溝部同士の間にそれぞれ設けられている
ことを特徴とする蓄熱部材。
【請求項５】
請求項４に記載の蓄熱部材において、
上記容器部には、上記第１溝部に交差して延びると共に、該第１溝部よりも溝深さが浅い第２溝部が形成されている
ことを特徴とする蓄熱部材。
【請求項６】
請求項１に記載の蓄熱部材において、
上記蓄熱材は、有機物質を含む有機蓄熱材である
ことを特徴とする蓄熱部材。
【発明の詳細な説明】
【技術分野】
【０００１】
本発明は、室内を蓄熱空調するために建物に設置される蓄熱部材に関するものである。
【背景技術】
【０００２】
近年、ＣＯ２削減等の環境問題が重要視され、室内の空調等に例えば氷蓄熱等の蓄熱方式を利用することが提案されている（例えば、特許文献１等参照）。
【０００３】
氷蓄熱方式では、夜間に作った氷を昼間に溶かして冷房を行う。この氷蓄熱方式によれば、氷を作るために割安な夜間電力を利用することができることから、運転コストを削減することができる。しかしながら、蓄熱材を収容するための大きな蓄熱槽が必要となるため、その設置スペースの問題から、現実にはあまり普及していない。
【０００４】
一方、蓄熱材として、パラフィン等の有機物質を含む有機蓄熱材を用いることが知られている（例えば、特許文献２等参照）。この有機蓄熱材は、相変化潜熱を利用する蓄熱材であって、使用中に過冷却や相分離等の難点が少なく、長期寿命に優れていることから、従来より注目されている。
【０００５】
また、蓄熱材の熱交換効率を高めるために、有機蓄熱材をマイクロカプセル化する方法が提案されている（例えば、特許文献３等参照）。そうして上記マイクロカプセルを含むボードを建材として利用することが検討されている。
【特許文献１】特開２００２−１６８４８３号公報
【特許文献２】特許第２８５２５３１号公報
【特許文献３】特開２００６−０９７００２号公報
【発明の開示】
【発明が解決しようとする課題】
【０００６】
しかし、上記特許文献３のように有機蓄熱材をマイクロカプセル化する方法では、施工が容易であるものの、そのマイクロカプセル化された蓄熱材自体が非常に高価であり、実用化には至っていない。
【０００７】
また、有機蓄熱材をアルミラミネートパック等によって包装することも考えられるが、施工に手間がかかるため、施工を含めたトータルコストは高くならざるを得ない。また、冷却を効率良く行うために、その包装の表面積を大きくすることが必要であるが、そのためには蓄熱材を小分けに包装しなければならず、製造面でもコスト高が避けられない。
【０００８】
本発明は、斯かる諸点に鑑みてなされたものであり、その目的とするところは、室内を蓄熱空調するために建物に設置される蓄熱部材について、その部材自体のコストだけでなく、施工に要するコストをも可及的に低減することにある。
【課題を解決するための手段】
【０００９】
上記の目的を達成するために、本発明に係る蓄熱部材は、建物に設置され、該建物の室内を蓄熱空調するための蓄熱部材であって、プラスチックにより構成された容器部と、上記容器部に密封された状態で収容された蓄熱材とを備え、上記容器部には、空気が流通可能な複数の通風部が形成されていることを特徴とする。
【００１０】
上記通風部は、上記容器部に形成された開口部であってもよい。
【００１１】
上記容器部は、切欠部が形成された四隅を有していることが好ましい。
【００１２】
上記容器部は、所定ピッチで互いに平行に配置されると共に上記蓄熱材がそれぞれ収容される複数の第１溝部を有し、上記通風部は、隣り合う上記第１溝部同士の間にそれぞれ設けられていてもよい。
【００１３】
上記容器部には、上記第１溝部に交差して延びると共に、該第１溝部よりも溝深さが浅い第２溝部が形成されていることが好ましい。
【００１４】
上記蓄熱材は、有機物質を含む有機蓄熱材であることが好ましい。
【００１５】
−作用−
次に、本発明の作用について説明する。
【００１６】
上記蓄熱部材は、プラスチックからなる容器部に蓄熱材が密封された構成を有しているので、取り扱いが容易であり建物への施工に要するコストを飛躍的に低減することが可能になる。また、容器部自体はプラスチックによって容易に成形できるため、蓄熱部材自体のコストも好適に低減される。
【００１７】
容器部には複数の通風部が形成されているので、その通風部を流通する空気を、容器部内の蓄熱材との間で熱交換させて、室内へと供給することが可能になる。このことにより、室内は蓄熱空調されることとなる。
【００１８】
また、通風部は上記容器部に形成した開口部として、容易に形成できる。
【００１９】
ところで、通常、建物の床部は二重床構造になっており、その二重床構造は下側床部と、該下側床部に立設された複数の支柱に支持された状態で、上記下側床部に対向配置された上側床部とを有している。上記蓄熱部材は、例えば上記二重床構造の内部に好適に設置される。
【００２０】
上記容器部を切欠部が形成された四隅を有するように形成した場合には、上記二重床構造内に蓄熱部材を設置するときに、支柱が切欠部に配置されるようにすることが可能になる。したがって、複数の蓄熱部材を、効率良く広い面積に設置することが可能になる。
【００２１】
また、上記二重床構造の上側床部は、一般に、マトリクス状に配置された複数のパネルからなる。このような場合、上記蓄熱部材の切欠部に、上記パネルの持ち手部分を配置させることも可能である。したがって、蓄熱部材が設置された下側床部の支柱に対し、容易にパネルを設置できることとなる。
【００２２】
また、容器部が、互いに平行に配置された複数の第１溝部を有する場合には、その溝長さ方向に空気をスムーズに流通させることができる。したがって、蓄熱部材を設置した領域全体において、蓄熱空調の均一化が図られることとなる。
【００２３】
また、第１溝部に加え、それに交差する第２溝部が容器部に形成されている場合には、複数の第１溝部が第２溝部によって互いに連通状態となるため、容器部への蓄熱材の注入が容易になる。その結果、蓄熱部材の製造コストがより低減される。
【００２４】
また、蓄熱材が有機蓄熱材である場合には、その使用中に過冷却や相分離等の難点が少なく、長期寿命であるために、当該蓄熱部材のランニングコストも好適に低下することとなる。
【発明の効果】
【００２５】
本発明によれば、容器部に形成された複数の通風部を流通する空気を、容器部内の蓄熱材との間で熱交換させて室内へと供給することにより、室内を効率良く蓄熱空調することができる。そのことに加えて、蓄熱部材は、プラスチックからなる容器部に蓄熱材が密封された構成を有しているので、取り扱いが容易であり建物への施工に要するコストを飛躍的に低減することができる。さらに、容器部自体をプラスチックによって容易に成形できるため、蓄熱部材自体のコストも好適に低減できる。
【発明を実施するための最良の形態】
【００２６】
以下、本発明の実施形態を図面に基づいて詳細に説明する。尚、本発明は、以下の実施形態に限定されるものではない。
【００２７】
《発明の実施形態１》
図１〜図７は、本発明の実施形態１を示している。
【００２８】
図７は、蓄熱空調システム１を含む建物１１の一部を模式的に示す側断面図である。
【００２９】
本実施形態における蓄熱部材１０は、例えばビル等の建物１１における床下や屋根裏等のスペースに設置され、建物１１の室内１２を蓄熱空調するために用いられる。そして、蓄熱部材１０は、室内１２を蓄熱空調する蓄熱空調システム１の一部を構成している。
【００３０】
図７に示すように、建物１１の内部には室内１２が区画形成されている（図７では説明のために１つの室内１２を代表して示している）。室内１２を区画する床は二重構造となっている。複数階を有する建物１１には、各階の室内１２を区画する二重床構造１５が形成されている。
【００３１】
二重床構造１５は、例えばコンクリートスラブからなる下側床部１６と、該下側床部１６に立設された複数の支柱１７と、支柱１７の先端に支持された状態で上記下側床部１６に対向配置された上側床部１８とを有している。上側床部１８は、マトリクス状に配置された複数のパネル（コンクリート板２０）の集合体により構成されている。
【００３２】
図５は、本実施形態における蓄熱部材１０と、コンクリート板２０と、支柱１７との配置関係を示す平面図である。図６は、コンクリート板２０の外観を示す平面図である。
【００３３】
コンクリート板２０は、図５及び図６に示すように、略正方形板状に形成されると共に、その対向する２辺には、コンクリート板２０の持ち手部２１がそれぞれ凹状に切り欠かれて形成されている。また、コンクリート板２０には、少なくとも１つの吹出口（図示省略）が形成されている。そうして、各コンクリート板２０の４つの角部分は、それぞれ支柱１７によって支持されている。また、１つの支柱１７は、４枚のコンクリート板２０の互いに近接配置された角部分を同時に支持している。
【００３４】
蓄熱空調システム１は、蓄熱部材１０と、熱源手段としての空調機１３とを備えている。空調機１３は、建物１１に設けられ、例えば蒸気圧縮式冷凍サイクルを行う冷媒回路を備えた空気調和装置によって構成されている。
【００３５】
そのことにより、空調機１３から冷風及び温風が吹き出し可能（冷房運転及び暖房運転）になっていると共に、吸い込んだ空気を冷媒との間で熱交換せずにそのまま吹き出す送風運転も可能になっている。そうして、蓄熱空調システム１は、空調機１３から吹き出された空気が二重床構造１５内に供給されるようになっている。
【００３６】
尚、上記熱源手段は、空気調和装置に限らず、例えば太陽熱等の他の熱源を利用することも可能である。
【００３７】
蓄熱部材１０は、プラスチックにより構成された容器部２３と、この容器部２３に密封された状態で収容された蓄熱材２４とを備え、床下の二重床構造１５内に複数設置されている。上記プラスチックとしてはＰＥＴを適用することが望ましい。
【００３８】
図１は、本実施形態における蓄熱部材の外観を示す平面図である。図２は、本実施形態における蓄熱部材の外観を示す正面図である。図３は、本実施形態における蓄熱部材の外観を示す側面図である。図４は、容器本体の外観を示す平面図である。
【００３９】
図１〜図４に示すように、容器部２３は、所定ピッチで互いに平行に配置された複数の第１溝部３１と、第１溝部３１に交差して延びる第２溝部３２とを有している。第１溝部３１及び第２溝部３２には、蓄熱材２４がそれぞれ収容されている。
【００４０】
容器部２３は、上記第１溝部３１及び第２溝部３２が図４で紙面手前側（以降、上側と称する）に開口して形成された容器本体２６と、上記第１溝部３１及び第２溝部３２を閉塞するように容器本体２６に固着された閉塞部２７とを有している。
【００４１】
閉塞部２７は、プラスチックシートにより構成され、蓄熱材が収容された容器本体２６に対し、第１溝部３１及び第２溝部３２の溝開口に貼り付け加工（ラミネート加工）されることによって当該容器本体２６に固着されている。
【００４２】
容器本体２６には、第１溝部３１が例えば５０ｍｍのピッチで５つ配列され、これらに垂直な方向に、第２溝部３２が例えば１２５ｍｍのピッチで３つ配列されている。すなわち、全体として、蓄熱部材１０には、蓄熱材が充填された溝部３１，３２が格子状に形成されている。このように、第１溝部３１のピッチを５０ｍｍにすることで、空気をスムーズに流すことができる。
【００４３】
第１溝部３１及び第２溝部３２は、図２及び図３に示すように、それぞれ上側に向かって溝幅が拡がる断面テーパ状に形成されている。第１溝部３１の溝幅は上端において約２０ｍｍである。一方、第２溝部３２は、中央に配置されているものの溝幅（上端において約４０ｍｍ）が、その両外側に配置されているものの溝幅（上端において約２０ｍｍ）よりも広くなっている。
【００４４】
上記第１溝部３１及び第２溝部３２の溝開口は、それぞれ容器本体２６の上端で一致した高さ位置に形成されると共に、縁部分が全体に亘って外側に折り返されている。一方、第２溝部３２の溝深さは第１溝部３１よりも浅くなっている。そのことにより、図２に示すように、第２溝部３２の下方に隙間が形成されるので、蓄熱部材１０の下部外側において、第１溝部３１の溝長さ方向に空気が流通し易くなっている。
【００４５】
また、図１及び図４に示すように、左右両側に配置されている第１溝部３１は、その内側に配置されている３つの第１溝部３１よりも溝長さが短くなっている。このことにより、容器部２３は、切欠部３５が形成された四隅を有している。特に、閉塞部２７は、図１に示すように、四隅にＬ字状の切欠部３５を有する略矩形板状に形成されている。蓄熱部材１０の外形は、図１に示すように、縦長さが約４８０ｍｍであり横長さが約２４０ｍｍになっている。
【００４６】
そして、容器部２３には、空気が流通可能な複数の通風部３６が形成されている。通風部３６は、容器部２３の閉塞部２７に貫通して形成された開口部３６である。開口部３６は、矩形状に形成されると共に、隣り合う第１溝部３１同士の間にそれぞれ設けられている。このことにより、蓄熱部材１０の下方で第１溝部３１同士の間を流通する空気が、開口部３６を通って上方へ流出できるようになっている。
【００４７】
一方、上記蓄熱材２４は、例えばパラフィン等の有機物質を含む有機蓄熱材である。具体的に、蓄熱材２４は、パラフィン類１００重量部に対し、炭化水素系ポリマーが５〜３０重量部、加水分解しうるシラン系化合物が０．５〜１０重量部、及び有機過酸化物が０．００５〜２重量部から成る組成物を架橋して構成されている。
【００４８】
若しくは、蓄熱材２４は、パラフィン類１００重量部、炭化水素ゴム５〜３０重量部、及び該ゴム１００重量部に対して０．５〜２０重量部の炭化水素ゴム架橋剤からなる組成物を架橋（但しシラン系化合物による架橋を除く）して構成されていてもよい。
【００４９】
パラフィン類の好ましい具体例としては、各種パラフィン、ロウ、ワックスをはじめ、ステアリン酸、パルミチン酸等の脂肪酸やポリエチレングリコール等のアルコール類を例示することができ、これらのうち１種、または２種以上の混合物として適用される。
【００５０】
上記蓄熱部材１０を製造する場合には、ＰＥＴを成形することにより容器本体２６を形成し、その内部（つまり第１溝部３１及び第２溝部３２の内部）に上記蓄熱材２４を注入して収容する。次に、容器本体２６にＰＥＴ等のプラスチックシートを閉塞部２７として貼り付けて、上記第１溝部３１及び第２溝部３２を閉塞する。このことにより、蓄熱材２４は、容器部２３の内部に密封されることとなる。その後、閉塞部２７のプラスチックシートを打ち抜いて、複数の開口部３６を形成する。こうして、蓄熱部材１０を製造する。
【００５１】
尚、容器本体２６及びプラスチックシートの双方に予め開口部３６を形成した後に、これらを互いに貼り合わせることによって、蓄熱部材１０を製造することも可能である。
【００５２】
次に、上記蓄熱部材１０を建物１１に設置する施工方法について説明する。
【００５３】
まず、複数の支柱１７が立設された下側床部１６に、複数の蓄熱部材１０を設置する。このとき、下側床部１６に比較的小さな支持ブロック（図示省略）を介在させて各蓄熱部材１０を設置することにより、蓄熱部材１０の底と下側床部１６表面と間に隙間を設ける。このことにより、当該隙間に建物１１の配線等を配置させる。
【００５４】
また、図５に示すように、蓄熱部材１０を２つ並べて配置することにより、この２つで一組の蓄熱部材１０について、その外側４つの切欠部３５に支柱１７をそれぞれ配置させる。したがって、支柱１７に沿って蓄熱部材１０を自由に上下動させることができるので、施工が容易になる。こうして、複数の蓄熱部材１０を下側床部１６上にマトリクス状に配置させる。
【００５５】
その後、複数のコンクリート板２０を、蓄熱部材１０を覆うように支柱１７の先端に設置する。コンクリート板２０は略正方形に形成され、上記一組の蓄熱部材１０と略同じ大きさになっているため、一組の蓄熱部材１０に対応して１枚のコンクリート板２０を設置する。そうして、コンクリート板２０を床一面に設置することによって、上側床部１８を形成する。以上により、蓄熱部材１０が内部に収納された二重床構造１５が形成されることとなる。
【００５６】
次に、上記蓄熱空調システム１によって室内を蓄熱空調する方法について説明する。
【００５７】
室内を蓄熱冷房する場合には、まず、夜間電力を利用して、夜間に空調機１３を冷房運転させ、冷風を二重床構造１５内に供給する。そのことにより、二重床構造１５内に配置された蓄熱部材１０の蓄熱材２４及び建物１１の躯体等は、冷却空気との間で熱交換して冷却され、冷熱を蓄える。
【００５８】
昼間には、空調機１３を送風運転して、二重床構造１５内に室温の空気を供給する。二重床構造１５内に供給された空気は、上記蓄熱部材１０の蓄熱材２４等との間で熱交換して冷却される。蓄熱部材１０によって冷却された冷却空気は、コンクリート板２０に形成されている吹出口を介して室内１２へ供給される。こうして、室内１２の蓄熱冷房が行われる。
【００５９】
室内を蓄熱暖房する場合には、同様に、夜間電力を利用して、夜間に空調機１３を暖房運転させ、温風を二重床構造１５内に供給する。そのことにより、二重床構造１５内に配置された蓄熱部材１０の蓄熱材２４及び建物１１の躯体等は、温熱空気との間で熱交換して加熱され、温熱を蓄える。
【００６０】
昼間には、空調機１３を送風運転して、二重床構造１５内に室温の空気を供給する。二重床構造１５内に供給された空気は、上記蓄熱部材１０の蓄熱材２４等との間で熱交換して加熱される。蓄熱部材１０によって加熱された温熱空気は、コンクリート板２０に形成されている吹出口を介して室内１２へ供給される。こうして、室内１２の蓄熱暖房が行われる。
【００６１】
−実施形態の効果−
したがって、この実施形態によると、床下等のスペースに蓄熱部材１０を配置し、夜間電力により空調機１３で蓄熱部材１０及び躯体を冷却（又は加熱）しておくことで、昼間の電力使用量のピーク時に冷房運転（又は暖房運転）を行わなくとも室内の温度を比較的低く（又は比較的高く）維持することができる。
【００６２】
そして、容器部２３内の蓄熱材２４との間で熱交換させた空気を、複数の開口部３６を介して室内１２へと供給することにより、室内１２を効率良く蓄熱空調することができる。そのことに加えて、蓄熱部材１０は、パラフィンにより膨潤せず、安価で、厚さを薄くしても製品重量を支持する強度を有するＰＥＴ等のプラスチックからなる容器部２３に、蓄熱材２４を密封した構成を有しているので、取り扱いが容易であり建物１１への施工に要するコストを飛躍的に低減することができる。さらに、容器部２３自体をＰＥＴによって容易に成形できるため、蓄熱部材１０自体のコストも好適に低減することができる。
【００６３】
さらに、容器部２３の四隅に切欠部を形成したので、二重床構造１５内に蓄熱部材１０を設置するときに、支柱１７を切欠部３５に配置させることができるため、複数の蓄熱部材１０を、効率良く広い面積に設置することができる。その結果、室内１２の蓄熱空調を効率良く行うことができる。また、容器部２３の四隅に切欠部３５を設けたので、支柱１７の位置を避けて上方から容易に蓄熱部材１０を設置することができ、さらに、蓄熱部材１０を左右対称な形状にしたので、配置方向を考慮せずに設置することができる。したがって、蓄熱部材１０の交換やレイアウト変更をも容易に行うことができる。
【００６４】
それに加え、コンクリート板２０の設置の際に、蓄熱部材１０の切欠部３５に、コンクリート板２０の持ち手部２１を配置させることができるため、蓄熱部材１０が設置された下側床部１６の支柱１７に対し、容易にコンクリート板２０を設置できる。したがって、蓄熱部材１０の建物１１への施工をさらに容易にすることができる。
【００６５】
さらに、互いに平行に配置された複数の第１溝部３１を容器部２３に形成したので、その溝長さ方向に空気をスムーズに流通させることができる。したがって、蓄熱部材１０を設置した領域全体において、蓄熱空調の均一化を図ることが可能になる。また、容器の表面積を増大させて、蓄熱材２４と空気とを効率良く熱交換させることができる。
【００６６】
さらにまた、第１溝部３１に加え、それに交差する第２溝部３２を容器部２３に形成したので、複数の第１溝部３１が第２溝部３２によって互いに連通状態となるため、蓄熱部材１０の製造時に、蓄熱材２４を容器部２３へ容易に注入することができる。その結果、蓄熱部材１０の製造コストをより低減できる。また、第２溝部３２を設けることにより、容器部２３の構造強度を高めることができるので、その厚みをさらに薄くすることも可能になる。
【００６７】
さらに、１つの容器部２３に複数の溝部３１，３２を一体に形成でき、溝一列毎に容器部２３を製造する必要がないので、容器部２３の個数を低減して全体としての製造コストを低下させることができる。
【００６８】
また、容器本体２６における溝開口の縁部分を、その全体に亘って外側に折り返すように形成したので、容器部２３の強度をさらに高めることができる。
【００６９】
加えて、蓄熱材２４をパラフィン等の有機蓄熱材によって構成したので、その相変化潜熱を利用して効率の良い蓄熱空調を可能にしながらも、その使用中に過冷却や相分離が生じ難く、長期寿命であるために、当該蓄熱部材１０のランニングコストを好適に低下させることができる。
【００７０】
《その他の実施形態》
上記実施形態では、５列の第１溝部３１を設けるようにしたが、同じ５０ｍｍピッチで例えば１０列設けることも可能である。列の数を多くするほど蓄熱部材１０のコストを低減することができる。また、第１溝部３１のピッチは、５０ｍｍに限定されるものではない。
【００７１】
また、上記実施形態では、下側床部１６に支持ブロックを介して蓄熱部材１０を設置するようにしたが、その支持ブロックのような形状を容器本体２６の底に、突出するように一体に形成するようにしてもよい。このことにより、蓄熱部材１０の施工をさらに容易にすることができる。
【００７２】
また、上記実施形態では、二重床構造１５の上側床部１８を構成するパネルとして、コンクリート板２０を例示して説明したが、本発明はこれに限らず、鉄製、モルタル注入形成鉄、ケイ酸カルシウム製、アルミ製、及び木製等の他の材質のパネルを同様に適用することができる。
【産業上の利用可能性】
【００７３】
以上説明したように、本発明は、室内を蓄熱空調するために建物に設置される蓄熱部材について有用である。
【図面の簡単な説明】
【００７４】
【図１】図１は、本実施形態における蓄熱部材の外観を示す平面図である。
【図２】図２は、本実施形態における蓄熱部材の外観を示す正面図である。
【図３】図３は、本実施形態における蓄熱部材の外観を示す側面図である。
【図４】図４は、容器本体の外観を示す平面図である。
【図５】図５は、本実施形態における蓄熱部材と、コンクリート板と、支柱との配置関係を示す平面図である。
【図６】図６は、コンクリート板の外観を示す平面図である。
【図７】図７は、蓄熱空調システムを含む建物の一部を模式的に示す側断面図である。
【符号の説明】
【００７５】
１      蓄熱空調システム
１０      蓄熱部材
１１      建物
１２      室内
１７      支柱
２０      コンクリート板
２３      容器部
２４      蓄熱材
２６      容器本体
２７      閉塞部
３１      第１溝部
３２      第２溝部
３５      切欠部
３６      開口部（通風部）
【図１】
2010025465.tif 000003
【図２】
2010025465.tif 000004
【図３】
2010025465.tif 000005
【図４】
2010025465.tif 000006
【図５】
2010025465.tif 000007
【図６】
2010025465.tif 000008
【図７】
2010025465.tif 000009